Podtech/llm-jp-corpus-v4-ja_patent huggingface dataset:
(57)【要約】      （修正有）【課題】書棚等のファイルを綺麗に整理することができるファイルへたり防止スペーサーを提供する。【解決手段】三角柱形状のスペーサー１を書棚等の奥に置き、ファイル３を圧縮することによりファイルの安定を図ることが有効である。【選択図】図３
0003207042.tif 000002
【実用新案登録請求の範囲】
【請求項１】
紙ファイル等がへたって（曲がって）しまうことを防止し、ファイルを綺麗に整理することを可能とする三角柱形状の「ファイルへたり防止スペーサー」
【考案の詳細な説明】
【技術分野】
【０００１】  本考案は、書棚等に収納する紙ファイル等がへたる（曲がる）ことを防止するためのスペーサーに関するものである。
【背景技術】
【０００２】  現在市販されている本立て（ブックエンド）で紙ファイル等がへたるのを防止し整理された状態を維持することは困難である。
【考案の概要】
【考案が解決しようとする課題】
【０００３】  紙など柔らかい材質の表紙で造られたファイルを書棚に並べるとファイルがへたって（曲がって）しまうことにより、ファイルが倒れて綺麗に整理できなくなる。
【課題を解決するための手段】
【０００４】  書棚に並べた紙ファイル等がへたるのは、ファイルの背表紙側よりも開閉側の厚みが薄いことにより、書棚の手前と奥でファイルの硬さに差が出ることが原因である。このことの解決手段としては、書棚の奥に三角柱形状のスペーサーを置き、書棚の奥でファイルを圧縮することによりファイルの安定を図ることが有効である。
【考案の効果】
【０００５】  現在市販されている本立て（ブックエンド）を使って紙ファイル等がへたるのを防ぐには、書棚の奥でファイルを圧縮するために本立てを斜めに置かなければならないが、この作業には大きな手間がかかると共に、ファイルを出し入れするたびに本立てがずれるため、その効果を持続させることは困難である。
【図面の簡単な説明】
【０００６】
【図１】本考案の「ファイルへたり防止スペーサー」である。
【図２】本スペーサーを書棚等に設置した例を示す図である。
【図３】本スペーサーを使いファイルを並べた書棚等の水平断面図である。
【考案を実施するための形態】
【０００７】  本考案によるスペーサーを書棚等に置くことで、書棚等の奥でファイルを圧縮する効果を簡単に引き出すことができる。また、不特定の人がファイルを出し入れしてもファイルが綺麗に並んだ状態を維持することができる。
【実施例】
【０００８】  以下、添付図面に従って一実施例を説明する。１はプラスチックス等適宜素材にて形成された「ファイルへたり防止スペーサー」本体である。【０００９】  書棚等２にスペーサー１を置いた状態である。【００１０】  スペーサー１により紙ファイル等３が安定する。
【符号の説明】
【００１１】  １  「ファイルへたり防止スペーサー」本体
２  書棚等
３  紙ファイル等
【図１】
0003207042.tif 000003
【図２】
0003207042.tif 000004
【図３】
0003207042.tif 000005
(57)【要約】      （修正有）【課題】４方向の適宜の方向から容易に安定して、手が痛くなることなく持つことができ、台車の持ち運びが簡便に行える台車を提供する。【解決手段】方形のプレート２の下面の前後部にキャスター４が取り付けられて構成される台車１において、プレート２の中央位置に、その４つの辺６のそれぞれがプレート２の４つの周辺７それぞれと略平行に位置する略正方形の持ち手開口５が設けられ、４つの辺６のそれぞれの中央側が湾曲して内方に突出する。【選択図】図１
0003207046.tif 000002
【実用新案登録請求の範囲】
【請求項１】
方形のプレートの下面の前後部にキャスターが取り付けられて構成される台車において、
前記プレートの中央位置に、その４つの辺のそれぞれが前記プレートの４つの周辺それぞれと略平行に位置する略正方形の持ち手開口が設けられてなることを特徴とする台車。
【請求項２】
前記４つの辺のそれぞれの中央側が湾曲して内方に突出する請求項１記載の台車。
【考案の詳細な説明】
【技術分野】
【０００１】  この考案は、台車の持ち手構造に関する。
【背景技術】
【０００２】  工場や倉庫において、また、宅配業務や引越し作業において、物品の搬送に台車が汎用されている。この種の台車の非使用時における持ち運びは、全体を抱えるように持つのは難しいので、例えば、プレートの中央に円形の開口を設け、そこに手をかけることで持ち運びができるものが提供されている。
【考案の概要】
【考案が解決しようとする課題】
【０００３】  しかしながら、上記のような円形の開口の持ち手の場合、持った際に手が開口形態に沿わないので均等に力がかかりにくく、持ち運びが安定して行えず、また、指が痛くなる場合があった。
【課題を解決するための手段】
【０００４】  この考案では、台車を４方向の適宜の方向から容易に安定して持つことができるようにすることを目的とする。【０００５】  この考案では、方形のプレートの下面の前後部にキャスターが取り付けられて構成される台車において、前記プレートの中央位置に、その４つの辺のそれぞれが前記プレートの４つの周辺それぞれと略平行に位置する略正方形の持ち手開口が設けられてなる構成とした。【０００６】  上記構成によれば、略正方形の持ち手開口が方形のプレートの中央位置にあり、かつ、その辺がプレートの周辺と平行となっていることで、指をかけることで台車は自動的に横方向、もしくは、縦方向となって安定して持たれるとともに、周囲の４方向の適宜の位置から同様に安定した状態で持ち運ぶことができる。また、辺に指がかけられるので、指が痛くなることが防がれる。【０００７】  ４つの辺のそれぞれの中央側が湾曲して内方に突出する構成とすることで、差し入れられる指それぞれの内側が一体となって湾曲縁に沿う状態となり、これによりそれぞれの指が辺に密接する状態となって台車はさらに安定した状態で持ち運ばれる。また、湾曲縁に指が掛けられることで、さらに、指が痛くなることが防がれる。【０００８】  この考案の台車はキャスターのみを備えるものであってもよく、また、後部に操作ハンドルを備えるものであってもよい。プレートは長方形もしくは正方形とされ、木製、プラスチックス製、金属製の適宜であってよい。
【考案の効果】
【０００９】  この考案によれば、台車を４方向の適宜の方向から容易に安定して、手が痛くなることなく持つことができるようになり、台車の持ち運びが簡便に行えるようになる。
【図面の簡単な説明】
【００１０】
【図１】  この考案の台車の実施形態の外観斜視図
【図２】  この考案の台車の実施形態の要部拡大図
【図３】  この考案の台車の実施形態の手提げ状態の説明図
【図４】  この考案の台車の実施形態の手提げ状態の拡大説明図
【図５】  この考案の台車の実施形態の異なる手提げ状態の説明図
【考案を実施するための形態】
【００１１】  図１はこの考案の台車の外観斜視図、図２は持ち手開口部分の拡大図である。台車１は平面形状が長方形（９０ｃｍ×６０ｃｍ）の木質板よりなるプレート２の下面の四隅近傍にキャスター４のそれぞれが取り付けられて構成されている。
【００１２】  プレート２の中央位置に、その１辺長さを１０ｃｍとする略正方形の持ち手開口５が設けられている。持ち手開口５の４つの辺６のそれぞれはプレートの２の４つの周辺７のそれぞれと略平行に位置するととともに、４つの辺６のそれぞれは中央側が湾曲して内方に突出する湾曲縁８を備えている。また、持ち手開口５の４つ角部１０も４つの辺６から連続した湾曲縁１２を備えている。
【００１３】  図３は持ち手開口５によって台車１を手９で横方向に持った状態を示し、図４はその拡大図である。持ち手開口５に人差し指１５ａ、中指１５ｂ、薬指１５ｃ、小指１５ｄの４本の指を一体として差し入れ係止することで台車１は吊り下げ状態に持たれている。湾曲縁８に湾曲縁１２が連続していることで、指が係止できる湾曲縁長さが大きく取れ、これにより持ち手開口５を大きくすることなく指の係止が余裕をもって行えるようになっている。
【００１４】  持ち手開口５がプレート２の中央位置にあり、かつ、その辺６がプレート２の長手方向に位置する周辺７と平行となっていることで、台車１は自動的に横方向となって安定して持たれる。さらに、持ち手開口５が係止される辺６が内方、すなわち、吊り下げ時において下方となる方向に湾曲する湾曲縁８を持っていることで、人差し指１５ａ、中指１５ｂ、薬指１５ｃ、小指１５ｄのそれぞれの内側が一体となって湾曲縁８に沿う状態となり、これによりそれぞれの指が辺６に密接する状態となって台車１はさらに安定した状態で持ち運ばれる。また、指をかける部分が持ち手開口５の辺にある湾曲縁８であることで、指が痛くなることがない。
【００１５】  図５は台車１を縦方向として持った状態を示し、この場合も上記の横方向に持った場合と同様に、台車１は自動的に縦方向となって安定して持たれるとともに、それぞれの指が湾曲縁８を持つ辺６に密接する状態となって台車１は安定した状態で持ち運ばれる。台車１は周囲の４方向の適宜の位置から同様に安定した状態で持ち運ぶことができる。
【符号の説明】
【００１６】  １    台車
２    プレート
４    キャスター
５    持ち手開口
６    辺
７    周辺
８    湾曲縁
【図１】
0003207046.tif 000003
【図２】
0003207046.tif 000004
【図３】
0003207046.tif 000005
【図４】
0003207046.tif 000006
【図５】
0003207046.tif 000007
(57)【要約】      （修正有）【課題】外気温度の上昇や室外機の設置場所によるショートサーキットを原因とする室外機の停止を防ぐ為に、排水されているドレン水を簡単で単純な構造により再利用できるドレンホースの取付構造を提供する。【解決手段】ドレンホース３を勾配なく取付け、室外機１の天板４上の熱交換器２側に沿って固定し、ドレンホースの先端７は塞いでおく。さらに前記天板上に固定したドレンホースの底部には、Φ１程度の穴を等間隔に開けておく。エアコンの冷房動作によりドレン水が排出され、前記室外機に固定されたドレンホースの底部の穴からでたドレン水が前記室外機中のファンに吸引され、気化熱で熱交換器に取り込まれる空気を冷却する。【選択図】図１
0003207722.tif 000002
【実用新案登録請求の範囲】
【請求項１】
エアコンの室内機に取付けられたドレンホースにおいて、前記ドレンホースから排出されるドレン水を室外機の吸込みファンによって自然に室外機に取り込むことができる方法であり、前記ドレンホースの設置において勾配がないこと、前記室外機の天板上に乗る部分において前記ドレンホースの底部にΦ１程度の穴を等間隔にあけ、ドレンホース先端は塞ぐことを特徴とするエアコン室内機のドレンホース取付方法
【考案の詳細な説明】
【技術分野】
【０００１】
この考案は、エアコンの室内機から排出されるドレン水を再利用して、外気温度の上昇による室外機の停止を防止する方法に関するものである。
【背景技術】
【０００２】
エアコンのヒートアップの原因は様々考えられるが、真夏の高温時では室外機によるトラブルの場合が殆どである。一般的なエアコンでは、室外機の熱交換機はファンの送風により冷媒を冷やす空冷式であり、冷却能力の点において向上が求められている。
【０００３】
また、室外機の設置場所によっては、室外機前後のスペースの不足により噴出した熱風がそのまま吸込み側に循環する。(ショートサーキット)  こうしたトラブルにより、熱交換が充分にできなくなり、室外機が停止してしまう。これを高圧カットという。
【０００４】
高圧カットの原因が外気温度の上昇やショートサーキットによる場合、室外機に水をかけることで、水分が蒸発する時に熱を奪う気化熱現象を利用して高圧カットを防止することができる。すでにサーモスタット等による自動的な給水を行う機器や室内機からのドレン水を再利用する機器等も提案されている。
【先行技術文献】
【特許文献】
【０００５】
【特許文献１】特開2012-247142
【特許文献２】特開2010-271028
【特許文献３】特開2010-216709
【特許文献４】特開2004-197987
【考案の概要】
【考案が解決しようとする課題】
【０００６】
上記記載の提案では、室内機からのドレン水を再利用する際に、様々なフィルターを使用したり、タンク状のものを設置するような方法を提案しているが、フィルターにおいては、どの様な素材を使用しても、目詰まりの可能性は無視できるのもではなく、コストの点から考えても、複雑な機器を設置するよりも、単純な構造によるドレン水の再利用が課題である。
【課題を解決するための手段】
【０００７】
本考案は、単純な方法で、エアコンの室内機から排出されるドレン水を室外機に取り込み、安価で容易にドレン水の再利用を可能にする。
【０００８】
エアコンの室外機はあくまでも室内機よりも低い位置にあり、前記室内機に取り付けたドレンホースは逆勾配にならないように取り付けられることが条件である。
【０００９】
ドレンホースは、室内機から勾配のないように配し、室外機の天板に熱交換器側の端に沿って固定する。前記室外機の天板に乗る部分の底側にΦ１程度の穴を等間隔に開け、前記ドレンホースの先端は塞いでおく。
【００１０】
なお、室外機の天板にドレンホースを固定する方法としては、前記室外機に取付金具を介してネジ留めしたり、接着剤や粘着テープで接着したりするなど、特に限定するものではない。  さらに、前記ドレンホースの先端を塞ぐ方法も同様に、接着剤、粘着テープ、さらには、キャップ等を取り付けて接着剤で固定するなど、様々な方法が可能である。
【考案の効果】
【００１１】
冷房動作によりエアコンの室内機からドレン水が排出されると共に、室外機のファンが作動している為、ドレンホースの底に開けた穴からドレン水が吸引され、自然に室外機に取り込まれる。
【図面の簡単な説明】
【００１２】
【図１】本考案を実施する為の構成を示す斜視図である。
【考案を実施するための形態】
【００１３】
本考案に係る実施の形態について図面を参照して詳細に説明する
【実施例】
【００１４】
図１は本考案の実施例を示す斜視図である。
【００１５】
ドレンホース３を逆勾配にならないように取り付け、室外機１の天板４上に熱交換器２側の端に沿って固定する。この時前記室外機１の前記天板４上に乗る部分については、前記ドレンホース３の底側に、Φ１程度の穴を等間隔に開け、ドレンホース先端６は塞いでおく。
【産業上の利用可能性】
【００１６】
本考案はエアーコンディショナーを製造する産業で利用される。
【符号の説明】
【００１７】
１  室外機
２  熱交換機
３  ドレンホース
４  天板
５  ドレンホース止め
６  冷媒配管
７  ドレンホース先端
【図１】
0003207722.tif 000003
【手続補正書】
【提出日】平成28年9月21日(2016.9.21)
【手続補正１】
【補正対象書類名】実用新案登録請求の範囲
【補正対象項目名】請求項１
【補正方法】変更
【補正の内容】
【請求項１】
エアコン室内機からドレンホースを介して排出するドレン水を室外機の中へ自然に取り込み、外気温度の上昇を防ぐ為に、前記ドレンホースの設置において勾配がないこと、前記ドレンホースの内、室外機の天板上に乗る部分において前記ドレンホースの底部にΦ１程度の穴を等間隔に開け、前記ドレンホースの先端は塞ぐことを特徴とするドレンホースの取付構造
(57)【要約】      （修正有）【課題】海綿や指サックを使用することなくしかも筆記具に装着させることにより筆記具を持ったまま紙をめくることを容易にする用具を提供する。【解決手段】素材がすべりにくいゴムででき、くぼみをもたせぶ厚い円盤状にすることで鉛筆やシャープペンシルなどの筆記具のどの部分にでも取り付けることが可能となりこの課題を解決する。【選択図】図２
0003207727.tif 000002
【実用新案登録請求の範囲】
【請求項１】
全体がゴムでできていてどんな筆記用具にも取り付けることが可能な弾力のあるくぼみをもった形状でそれを紙にあてることでめくることが容易にできる用具。
【考案の詳細な説明】
【技術分野】
【０００１】本考案は、筆記具に使用する紙をめくる用具に関する。
【背景技術】
【０００２】従来、紙をめくりやすくするには指サックや海綿を使用していた。
【考案の開示】
【考案が解決しようとする課題】
【０００３】指サックではその都度指にはめて紙をめくり、後にはずすという作業がいるし、海綿では綿がかわくと水でぬらすという作業がいるので不便である。
【課題を解決するための手段】
【０００４】そこでこのサクサクめーくるは全体がゴムでできており、弾力のあるくぼみをもたせることでいろいろな筆記用具に装着することが可能となり、形状がぶ厚い円盤型になっているので書く作業には邪魔にならず、その円盤の部分を紙にあてめくるので筆記具を持ったまま可能となる。
【考案の効果】
【０００５】よって、机上では必ず使用する筆記具に装着したまま使用でき、しかも取りはずす必要がないのでペンと一体となったサクサクめーくるをポケットなどに入れて持ち運ぶことも可能となる。
また、このような単純な形状をしていることからペンのどの部分にでも取り付け使用できるのである。（図２、図３）。
【考案を実施するための最良の形態】
【０００６】本考案に係る用具は、図１に示すようにどんな筆記具にも装着することが可能なくぼみ１を備えている。
そしてこの形状は書く時に邪魔にならないようにぶ厚い円盤型に形成されており、材質をゴムにすることによってこの部分を紙にあて筆記具を持ったまま紙をめくることが可能になる。
【図面の簡単な説明】
【０００７】
【図１】本考案に係る用具を表した全体図である。
【図２】本考案に係る用具を筆記具に装着した図である。
【図３】本考案に係る用具を筆記具に装着した図である。
【図１】
0003207727.tif 000003
【図２】
0003207727.tif 000004
【図３】
0003207727.tif 000005
(57)【要約】      （修正有）【課題】畑や庭先では支柱と用途に応じたネットを取付け、育苗パレットの上から枠を上げ下げして使用することで育苗管理が容易に出来るようにしたプランターを提供する。【解決手段】育苗パレット２枚が入る大きさで底のない枡型のプランター本体の対面する上部四辺に支柱用の複数の穴を設け、市販のトンネル支柱・各種ネットを取り付けられるようにした。【選択図】図３
0003207730.tif 000002
【実用新案登録請求の範囲】
【請求項１】
枡型で底の無いプランター本体とプランター本体の対面する上面に支柱が組込める複数の穴を設けたプランター。
【考案の詳細な説明】
【技術分野】
【０００１】  枡型で底のないプランター本体とプランター本体の対面する上面に支柱が組込める複数の穴を設けた底のないプランターを考案した。
この底なしプランターに市販のトンネル支柱を組込み、支柱の上から市販のビニールシート、寒冷紗、日よけネット等、用途に応じたミニハウスが簡単に作れるようにした。
【背景技術】
【０００２】  従来は畑等場所が限られ、日々の気象状況によって苗の育成管理も難しかったが、底なしプランターを使ったミニハウスは枠なので枠の上げ下げ（被せて）使用する為、庭先等の身近な場所で花・野菜の苗作りが容易に出来る。
【考案の概要】
【考案が解決しようとする課題】
【０００３】  従来はプランター等で対応するも底がある為、プランターの大きさや重さによって設置場所からの移動が困難であった。
底なしプランターを使ったミニハウスは枠なので畑でも庭先（コンクリート・土間等）でも支柱と用途に応じた各種ネットを取付け、育苗パレットの上から枠を上げ下げ（被せて）して使用することで育苗管理が容易に出来、設置場所も自由に選べる。
【課題を解決するための手段】
【０００４】  育苗パレットが２枚入るサイズで底のない枠を作り上部対面に支柱組込みの穴を設け、市販のトンネル支柱やビニールシート、寒冷紗、日よけネット等、の取付けが簡単に出来るミニハウスを考案した。
【考案の効果】
【０００５】  底なしプランターを使ったミニハウスは軽量で、枠自体を上げ下げ（被せて）して使用する為、育苗の管理が容易に出来る。
【図面の簡単な説明】
【０００６】
【図１】本考案のプランター上面図である。
【図２】本考案のプランターの図１Ａ‐Ａ断面図である。
【図３】底なしプランターに支柱を差込、使用状態をイメージしたものである。
【考案を実施するための形態】
【０００７】  上から見た額縁上で側面左右上下４枚の板で枠を組み、持ち手の枠部分を厚くし、上部に支柱穴を設け底の無いプランターを考案した。
図１の上面図は▲１▼本体側枠、縦６７０ミリ、横８７０ミリ、▲３▼内の側枠縦６００ミリ、横８００ミリ、のサイズで市販の育苗ポットパレット（３３０ミリ×４９０ミリ、２４ポット）が２枚入り苗が成長しても底なしプランターミニハウス自体の上げ下げで傷つかない大きさにした。
図１▲２▼支柱差込穴は直径１０ミリ、図２▲２▼穴の深さを６０ミリに設定し支柱の固定を考え、図１▲２▼支柱穴を縦（１６５ミリ間隔）横（２１５ミリ間隔）で四辺に各５ケの穴を設け、図２の▲１▼本体側枠と▲４▼下突出部で段差をつけ持ち手部を設けるとともに市販のトンネル支柱サイズ１５００ミリ、１８００ミリが選択出来、育苗をはじめ花・野菜の成長に対応出来るようにした。
図２は図１のＡ−Ａの断面図である。本体の高さを２００ミリに設定、▲１▼本体側枠（支柱穴部と持ち手）部を７０ミリ、▲３▼内の側枠▲４▼下突出部を１３０ミリに設定、畑・水田等で使用する場合図２▲３▼内の側枠▲４▼下突出部まで差込めるようにして土の中での害虫（根切虫等）の侵入を防ぐ。地上部は各種市販のネットの装着で害虫（あぶら虫、青虫等）から花・野菜を守ることが出来る。
図３［３−１］は底なしプランターに市販のトンネル支柱を組込み、使用状態（育苗パレットから枠を上げた）をイメージしたものである。
図３［３−２］は同じく使用状態（育苗パレットから枠を下げた）をイメージしたものである。
図３［３−１．３−２］はいすれもビニールシート等で覆った絵図ではありません。
底なしプランターの枠は試作で木材を使用したもので、実物は樹脂で制作する為、木材より軽量となる。
【符号の説明】
【０００８】  １．▲１▼本体側枠
２．▲２▼支柱差込穴
３．▲３▼内の側枠
４．▲４▼下突出部
【図１】
0003207730.tif 000003
【図２】
0003207730.tif 000004
【図３】
0003207730.tif 000005
(57)【要約】【課題】拇指部痛風罹患者が安心して着用することができ、松葉杖等の補助具を使用しないで起立や歩行が可能となるサンダルを提供する。【解決手段】サンダル台１のつま先部１２後方から踵部１３前方に至る部分に隆起部１１を有する。隆起部１１は、罹患者の土踏まず４２を支持する位置に形成され、土踏まず４２の凹形状に対応する凸形状を有する。また、サンダル台１の中央部近傍に甲被２が橋設され、甲被２は前方が解放されており、拇指部４１が甲被２に接しない構造となっている。さらに、サンダル台１１の後方に罹患者の踵部１３を支持するストラップ３が設置されており、足ずれを防止している。【選択図】図１
0003207796.tif 000002
【実用新案登録請求の範囲】
【請求項１】
拇指部痛風罹患者用のサンダルであって、
サンダル台のつま先部後方から踵部前方に至る部分に隆起部を有することを特徴とするサンダル。
【請求項２】
前記隆起部は、前記罹患者の土踏まずを支持する位置に形成され、前記土踏まずの凹形状に対応する凸形状を有することを特徴とする請求項１記載のサンダル。
【請求項３】
前記サンダルは、前記サンダル台の中央部近傍に甲被が橋設され、前記甲被は前方が解放されていることを特徴とする請求項１又は２記載のサンダル。
【請求項４】
前記サンダルは、前記サンダル台の後方に前記罹患者の踵部を支持するストラップが設置されていることを特徴とする請求項１乃至３のいずれかに記載のサンダル。
【考案の詳細な説明】
【技術分野】
【０００１】
本考案は、拇指部痛風罹患者用のサンダルに関する。
【背景技術】
【０００２】
痛風患者の多くは拇指部、特に足親指付け根に痛みを発症する。当該拇指部痛風罹患者は通常の靴を履くことはできず、サンダルを着用することが多いが、サンダルを履いても患部側の足は接地する事ができない。このため、歩行に際しては、松葉杖等の使用を強いられるのが一般的である。
【先行技術文献】
【特許文献】
【０００３】
【特許文献１】実用新案登録第３１５４４２４号
【考案の概要】
【考案が解決しようとする課題】
【０００４】
上記拇指部痛風罹患者にとり、松葉杖等を使用しての歩行は疲労と労力を要する。特に階段等の段差がある場所の歩行は困難となる。仮に、歩行時に拇指部がサンダル台に着接しない構造を有するサンダルがあれば、補助具なしの歩行が可能となる。
【０００５】
特許文献１には、小指付け根部から土踏まずを経て踵までに至るサンダル台の底部（裏面）の高さを段階的に高くし、拇指部とサンダル台と接圧を軽減する構造を有する痛風対策用履物についての考案が開示されている。しかしながら、サンダル台の裏面に段差を設けた場合、体重を支える部分が踵だけとなり、つま先部分が地面に触れないように歩くためには、膝を曲げないで足を棒の様にして歩くことになる。万が一、膝を曲げた時には、拇指先端が着地し、痛くて歩けない。また、特許文献１の履物は、甲被が足の前半分全体をカバーする構造であるため、側部に親指に接しないための穴が設けられてはいるものの、ちょっとした足のずれによって前記甲被の内側や前記穴の周辺部が拇指部と接触し、痛みを生じさせる可能性が高い。さらに、該履物は、構造上、足の大きさに合わせて製品を作成する必要があり、コスト面と緊急時の即応性に問題がある。
【０００６】
上述の問題に鑑み、本考案においては、拇指部痛風罹患者が安心して着用することができ、松葉杖等の補助具を使用しないで起立や歩行が可能となるサンダルを低コストで提供することを課題とする。
【課題を解決するための手段】
【０００７】
上記課題を解決するために、本考案に係るサンダルは、拇指部痛風罹患者用のサンダルであって、サンダル台のつま先部後方から踵部前方に至る部分に隆起部を有することを特徴とする。
【０００８】
前記隆起部は、前記罹患者の土踏まずを支持する位置に形成され、前記土踏まずの凹形状に対応する凸形状を有する。また、前記サンダルは、前記サンダル台の中央部近傍に甲被が橋設され、前記甲被は前方が解放されており、拇指部が前記甲被に接しない構造となっている。さらに、前記サンダルは、前記サンダル台の後方に前記罹患者の踵部を支持するストラップが設置されており、サンダル台上での足ずれを防止している。
【考案の効果】
【０００９】
本サンダル着用により、土踏まず全体で体重を支えることができるため、痛風患部の拇指球関節に力が加わらず、罹患者が安心して、松葉杖を使用せずに起立や歩行が可能となる。
【００１０】
本サンダルの甲被は、サンダル台中央に橋設され、前方全体を覆うものではないため、甲被と拇指部が接する心配がない。また、ストラップにより踵を支持するので、様々な足の大きさに柔軟に対応でき、また、緊急時の即応性に優れる。
【図面の簡単な説明】
【００１１】
【図１】本実施形態のサンダルを着用しているときの側面図である。
【図２】本実施形態のサンダルの甲被とストラップを省略した側面図である。
【図３】本実施形態のサンダルの平面図である。
【考案を実施するための形態】
【００１２】
以下、本実施形態に係るサンダル（以降、「本サンダル」という。）について、図を用いて説明する。本サンダルは請求項４に記載のサンダルである。
図１は、本サンダルの構成と使用時の状態を示す側面図であり、図２は、足とサンダル台との位置関係を明示するためにサンダルの一部の部品を省略した側面図である。
【００１３】
図１に示すように、本サンダルは、サンダル台１、甲被２及びストラップ３より成り、サンダル台１の中央部分に隆起部１１を有する。隆起部１１の平面範囲は、図３に示すように、つま先部１２後方から踵部１３前方に至る部分、すなわち、着用時に土踏まずが当接する位置を占める。甲被２はサンダル台１１前方部分全体を覆うのではなく、サンダル台１１の中央部近傍に橋設されている。このため、足４前方が解放され、拇指部４１が甲被２に触れることがない構成となっている。
【００１４】
図２に示すように、隆起部１１の縦形状は、土踏まず４２の凹形状に対応する凸形状となっており、起立時及び歩行時において、足指と踵がサンダル台と接することなく、土踏まず４２全体で体重を支えることができる構造になっている。この構造によって、罹患者は、拇指部を保護しつつ、膝を曲げての普通の歩行が可能になる。
【００１５】
本実施形態においては、隆起部１１の材質として、発泡ポリエチレンを使用しているが、ポリプロピレン・ポリスチレン等、他のプラスチック発泡体を使用することも可能である。
【符号の説明】
【００１６】
１    サンダル台
１１  隆起部
１２  つま先部
１３  踵部
２    甲被
３    ストラップ
４    足
４１  拇指部
４２  足底腱膜・足底筋膜（土踏まず）
【図１】
0003207796.tif 000003
【図２】
0003207796.tif 000004
【図３】
0003207796.tif 000005
(57)【要約】【課題】  トースターなどで焼いた後でも容易にちぎって食することができるスライスされた食パンを提供するものである。【解決手段】  この考案の食パン１は、スライスした食パン１の一枚ごとの少なくとも片面１ａにスリット２を設けており、望ましくは、スリット２が食パン１の所謂耳と称される周辺部１ｂを含む片面１ａの全域に渡って設けた格子状かつ破線状である。【選択図】図１
0003207737.tif 000002
【実用新案登録請求の範囲】
【請求項１】
スライスした食パンの一枚ごとの少なくとも片面にスリットを設けたことを特徴とする食パン。
【請求項２】
前記スリットは、所謂耳と称される周辺部を含む前記片面の全域に渡って設けた格子状かつ破線状であることを特徴とする請求項１に記載の食パン。
【考案の詳細な説明】
【技術分野】
【０００１】  本考案は、一斤を複数枚にスライスした状態で袋詰めされて販売されている食パンに関するものである。
【背景技術】
【０００２】  市販の食パンの多くは、一斤を４枚、６枚、８枚などの複数枚にスライスした状態で袋詰めされて販売されている。【０００３】  このようなスライスした状態で食パンを袋詰めして出荷することは、例えば下記先行技術文献などに記載の通り周知である。
【先行技術文献】
【特許文献】
【０００４】
【特許文献１】  特開２００６−０６９６４９号公報
【考案の概要】
【考案が解決しようとする課題】
【０００５】  斯かる食パンは、スライスされている一枚単位でトースターに投入して焼いてから食するものであるが、子供や年配者など非力な人間が手でちぎって食する場合、適当な大きさになりにくく、また、その都度大きさが変わってしまい、上手く取り扱うことができないという問題があった。【０００６】  本考案は、このような従来の問題を解決するものであり、誰でも簡単かつ確実に所望の大きさにちぎって食することのできる食パンの提供を目的とするものである。
【課題を解決するための手段】
【０００７】  本考案は、スライスした食パンの一枚ごとの少なくとも片面にスリットを設けたものである。【０００８】  上記構成により、スリット単位での分割が容易にできる。【０００９】  また、前記スリットは、所謂耳と称される周辺部を含む前記片面の全域に渡って設けた格子状かつ破線状である。【００１０】  上記構成により、前記格子単位で分割することができ、特に堅い周辺部も裂けやすくなり、分割する大きさを所望の大きさにすることができる。
【考案の効果】
【００１１】  上述したように本考案に係る食パンは、トースターなどで焼いて堅くなった後であっても、強い力を必要とせずに容易にちぎって食することができる。
【図面の簡単な説明】
【００１２】
【図１】  本考案の実施形態を示す斜視図
【考案を実施するための形態】
【００１３】  以下、本考案の実施形態を図面に基づいて説明する。
【００１４】  １は、一枚のスライスした食パンである。
【００１５】  この食パン１の片面１ａには、所謂耳と称される周辺部１ｂを含む片面１ａの全域に渡って設けた深さ数ミリの浅い溝からなる格子状のスリット２が設けてある。
【００１６】  スリット２は、食パン１の製造時に任意の方法にて形成することができるもので、例えば食パンをスライスした後に縦と横に伸びる回転刃を押しつけることにより設けることができる。
【００１７】  この食パン１は、トーストした後において、食する前に手でちぎると、スリット２が他の部分よりも弱いため裂けやすく、スリット２単位で容易に分割することができる。
【００１８】  なお、スリット２の幅や形状は、任意に選択できることは言うまでもない。
【００１９】  また、スリット２は、図１で示した実線状ではなく、数ミリ程度の間隔の破線（点線）状であっても良く、斯かる破線状の方がスリット２の形成時において、実線状の場合よりも深い溝としてスリット２を食パン１に設けても前記形成時に食パン１を切断する危険性が少なく、形成が容易である。
【符号の説明】
【００２０】１  食パン
１ａ  片面
１ｂ  周辺部
２  スリット
【図１】
0003207737.tif 000003
(57)【要約】      （修正有）【課題】魚のバイト時において、ルアーの跳ね上がりを抑え、フッキング率を向上させるハードルアーを提供する。【解決手段】ハードルアーは、ルアー本体１と、ルアー本体１の前方下方から中央上方に向けて、ルアー本体１を貫通する貫通孔２とを有することを特徴とし、ペンシルベイトルアーに適用することができる。【選択図】図１
0003207733.tif 000002
【実用新案登録請求の範囲】
【請求項１】
ルアー本体と、
上記ルアー本体の前方下方から中央上方に向けて、上記ルアー本体を貫通する貫通孔とを有することを特徴とするハードルアー。
【考案の詳細な説明】
【技術分野】
【０００１】  本考案は、ハードルアーに関し、例えば、合成樹脂や木材や金属などの硬質素材で形成されたハードルアーに適用し得るものである。
【背景技術】
【０００２】  魚釣りに使用されるルアーには様々な種類があるが、釣り人は、捕獲したい魚種や趣向等に応じて、使用するルアーの種類を使い分けている。【０００３】  ハードルアーの一種にペンシルベイトルアーがある。このペンシルベイトルアーは、棒状の本体に、１又は複数の針がついた単純な構造をしており、浮力が高いという特徴がある（特許文献１参照）。
【先行技術文献】
【特許文献】
【０００４】
【特許文献１】  特開平１１−２０６２７６号公報
【考案の概要】
【考案が解決しようとする課題】
【０００５】  しかしながら、上述したように、従来のペンシルバイトルアーは浮力が高いため、魚（例えば黒鯛）のバイトによりルアーが跳ね上がってしまうことがあり、フッキング率が低かった。【０００６】  そのため、魚のバイト時においてもルアーの跳ね上がりを抑え、フッキング率を向上させることができるハードルアーが求められている。
【課題を解決するための手段】
【０００７】  上記課題を解決するために、本考案に係るハードルアーは、ハードルアー本体と、ハードルアー本体の前方下方から中央上方に向けて貫通孔を有することを特徴とする。
【考案の効果】
【０００８】  本考案によれば、魚のバイト時においてもルアーの跳ね上がりを抑え、フッキング率を向上させることができる。
【図面の簡単な説明】
【０００９】
【図１】  実施形態に係るペンシルベイトルアーの長手方向の断面図である。
【考案を実施するための形態】
【００１０】  （Ａ）主たる実施形態
以下では、本考案に係るハードルアーの実施形態を、図面参照しながら詳細に説明する。
【００１１】  本考案に係るハードルアーは、ペンシルベイトルアーに用いることが好ましく、特に黒鯛用のペンシルベイトルアーに好適である。
【００１２】  図１は、この実施形態に係るペンシルベイトルアーの長手方向の断面図である。
【００１３】  図１において、ペンシルベイトルアーは、ペンシルベイトルアー本体１と、ペンシルベイトルアー本体１の前方下方から中央上部に向けて、ペンシルベイトルアー本体１を貫通する貫通孔２とを有する。なお、図１において、右側がペンシルベイトルアー本体１の前方であり、左側がペンシルベイトルアー本体１の後方である。
【００１４】  図１において、ペンシルベイトルアー本体１は、中空部を有する棒状のものである。ペンシルベイトルアー本体１は、合成樹脂や木材や金属などの素材で形成されたものである。例えば、合成樹脂で形成する場合、射出成型により、ペンシルベイトルアー本体１の形状を成型することができる。このとき、透明又は半透明の合成樹脂を使用することができる。
【００１５】  貫通孔２は、上述したように、ペンシルベイトルアー本体１の前方下方から中央上部に向けて、ペンシルベイトルアー本体１を貫通する孔である。また、この実施形態では、ペンシルベイトルアー本体１に１つの貫通孔２を設ける場合を例示するが、複数の貫通孔を有するものであってもよい。また、図１に示すように、ペンシルベイトルアーの浮遊状態を保持すると共に、少なくとも黒鯛のバイト時に水と接触する表面積が増すように、貫通孔２の内面（特に、前方内面、後方内面）を緩やかな曲線形状としている。
【００１６】  黒鯛用ペンシルベイトルアーにおいて、このような貫通孔２を設けることにより、ルアーの浮力を下げ、水に接する表面積を大きくし、黒鯛のバイト時のルアーの跳ね上がりを抑え、フッキング率を向上させることができる。
【００１７】  その結果、ペンシルベイトルアーは、黒鯛のバイトを逃さず、フッキングに持ち込み、黒鯛の釣果を向上させることができる。さらには、ペンシルバイトルアー本体１に貫通孔を設けることにより、ペンシルベイトルアーが水に接する表面積が増したため、水噛みが良く、短い移動距離でアクションさせることが可能となる。
【符号の説明】
【００１８】  １…ペンシルベイトルアー本体、２…貫通孔。
【図１】
0003207733.tif 000003
(57)【要約】      （修正有）【課題】支柱棒及びそれを支える支柱の結束を、簡単かつ確実にする支柱保持具を提供する。【解決手段】円形の柔軟素材１に、中心より等間隔の正三角形の頂点の位置に貫通穴２を開ける。貫通穴２に支柱を通す事により、簡単かつ確実に３本の支柱の先端部分がまとまり、植木鉢等への支柱立てに役立つ。【選択図】図１
0003207740.tif 000002
【実用新案登録請求の範囲】
【請求項１】
支持具本体は、柔軟性がある適宣素材で形成された円形及び板状の本体で、中心点から半径の中心位置にあり、正三角形の頂点部分に貫通穴を３か所開けた支柱保持具。
【考案の詳細な説明】
【技術分野】
【０００１】  本考案は、３本の支柱を結束する園芸用支柱保持具である。
【背景技術】
【０００２】  植木等に支柱を立てる場合、紐及び針金等で支柱同士を結束していた。
【考案の概要】
【考案が解決しようとする課題】
【０００３】  紐及び針金等では、支柱の結束に時間がかかり確実性がない。支柱の使用期間が長期間に及ぶと支柱が不安定になり、植物の安定的な栽培が出来ない。
【課題を解決するための手段】
【０００４】  本考案は、円形の板状素材に３か所の貫通穴を開ける。貫通穴に３本の支柱を通す事により、支柱の先端部分を確実に保持する事が出来る。前述の説明により支柱の安定性を高め支柱を立てる作業効率が増す。
【考案の効果】
【０００５】  上述の様に、本考案の支柱保持具は３か所の穴により、確実に支柱を保持し安定性も増し長期間の植物の栽培に役立つ。
【図面の簡単な説明】
【０００６】
【図１】  本考案の支柱保持具の正面図である。
【図２】  支柱保持具の実施例を示す正面図である。
【図１】
0003207740.tif 000003
【図２】
0003207740.tif 000004
(57)【要約】      （修正有）【課題】パンツとシューズが一体となりピッタリ感があって動きやすく、裾がズレ下がって地面に付くことも捲くれ上がることもなく、安全でファッション性にも効果が期待できるパンツとシューズに取り付ける固定用具を提供する。【解決手段】帯状シートの両端を上部へ反り返らせ、輪にして重ね合わせた部分と下の面の中央部を、ベルト通し４、５を二列に配した状態となるように縫い付け３、表面には固定手段を付設した。【選択図】図３
0003207732.tif 000002
【実用新案登録請求の範囲】
【請求項１】
シューズの甲部を横断する緊締手段（紐や帯部）に固定されパンツの裾部を保持する固定用具であって、前記緊締手段が通過する単数又は複数の環状部と、前期パンツの裾部を確保する保持手段を備えることを特徴とする固定用具。
【請求項２】
前記環状部は、複数重ねの帯状シートの一部に、前期緊締手段の幅を超える間隔を隔てた対をなす縫着部に挟まれてなることを特徴とする前記請求項１に記載の固定用具。
【考案の詳細な説明】
【技術分野】
【０００１】  本考案はパンツと改良型シューズに関連して、表面に固定手段を付設した帯状シートによる固定用具と、シューズの踵部を加工する技術に関するものである。
【背景技術】
【０００２】  実用新案登録番号  第３１７０８０９号の固定用具によって、パンツの裾が地面に付いたり、まくれ上ったりすることが無くなるために、シューズ甲と踵部に取り付けたフック状の面ファスナーの固定用具とパンツの裾裏生地とが引っかかるようにして固定させる構造である。
【考案が解決しようとする課題】
【０００３】  シューズの甲部と踵部だけに取り付けられ表面に固定手段を付設した固定用具は、取り外しをするたびにパンツの裾裏生地を傷めてしまい、また、貼り替え可能な両面テープでは接着が外部からの衝撃で剥がれてしまう可能性が大であり、強力な接着剤で貼り付けた固定用具は交換することが困難である。
【課題を解決するための手段】
【０００４】  上述の目的を解決するために、甲と踵部に固定用具を取り付けたシューズを履いてパンツを着用した場合、シューズの甲と踵部分に当たるパンツの裾裏部分に、表面に固定手段を付設した固定用具を取り付けることで、各固定用具が貼り付き合って裏生地を傷めることがなくなる。
また、シューズの踵部の改良において、貼り付ける固定用具の接着面が外部からの衝撃が直接当たらなくするために、固定用具の接着部分が埋まる凹部を施す。
【考案の効果】
【０００５】  以上、説明したとおり本考案によれば、シューズの甲と踵部分に取り付けた表面に固定手段を付設した固定用具に対して、パンツの裾裏に取り付けた固定用具とが互いに貼り付き合うので、パンツの裏生地を傷めることが無くなった。
また、シューズの踵部に貼り付けた固定手段を付設した面だけが表面に出て、固定用具の接着部が凹部に埋って隠れるので、接着部に直接衝撃がかかることが無く固定用具が剥がれず貼り替えも可能となった。
パンツとシューズが一体となり、ぴったり感があって動きやすく、裾がずれ下がって地面につくことも捲くれあがることもなく、安全でファッション性にも効果が期待できるものになった。
【図面の簡単な説明】
【０００６】
【図１】シューズとパンツが固定用具で貼り付き合っている外観斜視図である。
【図２】帯状シートを輪にして重ね合わせた、ベルト通しを施す前の斜視図である。
【図３】本考案による、ベルト通しを二列に施した固定用具の斜視図である。
【図４】固定用具のベルト通しに、甲止めベルトを通して取り付けた拡大図である。
【図５】固定用具のベルト通しに、甲止め紐を通して取り付けた拡大図である。
【図６】シューズの踵部に施した、固定用具を貼るための凹部を示す斜視図である。
【図７】シューズの踵部とパンツの裏面に取り付けた固定用具の斜視図である。
【図８】シューズの甲部とパンツの裏面に取り付けた固定用具の斜視図である。
【図９】パンツの裾裏に取り付けた固定用具の斜視図である。
【考案を実施するための形態】
【０００７】  以下、本考案の実施の形態を図面に基づき詳細に説明する。
【実施例１】
【０００８】  図２で示すとおり、帯状シートの両端を上部へ反り返らせ、輪にして重ね合わせた部分と下の面の中央部を、図３で示すとおり、ベルト通し４、５を二列に配した状態となるように（縫い目３）縫い付け、表面には固定手段を付設したシューズの甲部に取り付けるための固定用具である。【０００９】  シューズの甲を止めるベルト式では図４で示すとおり、本考案する固定用具のベルト通し４、５に２本のベルトを通して甲部に固定し、図５のとおり、紐式ではベルト通し４に紐をクロスして通しからシューズの紐穴に通し、もう一度ベルト通し５にクロスして通した後、残りの紐穴に交互に通して甲を締め上げることで固定用具２はシューズの甲部に固定される。【００１０】  図６で示すとおり、シューズの踵部分の表皮に、表面に固定手段を付設した固定用具８が入る大きさの窓を切抜き、下地に貼り合わせることで凹部が施され、その凹部に固定用具を貼り付けると接着部が凹部に埋まった状態になり、走って激しいスライディングなどの衝撃から保護されて剥がれることがなくなった。
【実施例２】
【００１１】  図７、８で示すとおり、シューズの甲と踵部に取り付けた固定用具に重なり合うパンツの裾裏部分に、表面に固定手段を付設した固定用具６、７を貼り付けることでシューズとパンツに取り付けた固定用具が共に貼り付き合ってパンツの裏地を傷めることなく、しかも容易に取り外しができるようになった。
【産業上の利用可能性】
【００１２】  長く、ゆったりとしたパンツは市販されているにもかかわらず、安全性などの理由で規制され着用することを禁じられる矛盾を解決した本考案は、技術はもちろんのことファッション性にもすぐれ、また、スパイクの改良型製造においてはこの考案のみならず、長いパンツを着用しない人にとっても凹部にはゼッケンや名前などのシールを貼るためにも使えることから、多くの人達を対象に製造、販売の産業分野に利用することができる。
【符号の説明】
【００１３】  １．  帯状のシート
２．  表面に固定手段を付設し、ベルト通しを二列に配した甲部用の固定用具
３．  ベルト通しを二列に配するために間を仕切る縫い目
４．  ベルト通し
５．  ベルト通し
６    表面に固定手段を付設したパンツの裾裏前部用の固定用具
７    表面に固定手段を付設したパンツの裾裏後部用の固定用具
８    表面に固定手段を付設したシューズの踵部用の固定用具
９    シューズの踵部に固定用具を貼り付けるために施された凹部
【図１】
0003207732.tif 000003
【図２】
0003207732.tif 000004
【図３】
0003207732.tif 000005
【図４】
0003207732.tif 000006
【図５】
0003207732.tif 000007
【図６】
0003207732.tif 000008
【図７】
0003207732.tif 000009
【図８】
0003207732.tif 000010
【図９】
0003207732.tif 000011
(57)【要約】      （修正有）【課題】体力的負担が少なく手軽で安全に、雪や砂利などの遠投作業のできる器具を提供する。【解決手段】掬い取り先端部２に角度を持たせる事により、小さな力で対象物を掬い取ることができ、掬い取り部底面のＶ字型加工により左右の作業時でも平面部・先端部が地面に平行に接地出来るので、対象物を素早く綺麗に掬い取れる。また掬い取り部１と握り柄部４を垂直方向に接続することにより腰や腕への負担がなく効率的な作業ができる。【選択図】図１
0003207705.tif 000002
【実用新案登録請求の範囲】
【請求項１】
中央先端に角度を持たせた掬い部と直線パイプ状握り柄を垂直方向に接続した器具。
【請求項２】
請求項1の器具であり掬い部底面を正面方向から見てV字型に加工された器具。
【考案の詳細な説明】
【技術分野】
【０００１】
この発明は雪及び砂利などの粒状対象物を、遠心力・慣性・反発力を利用し体力的 負担が少なく手軽で安全に遠投作業のできる器具
【背景技術】
【０００２】
雪や砂利・砂などの粒状物の移動作業では、従来のスコップ形状では遠投 作業時腕や 腰への体力的負担が大きく長時間の連続作業が困難なものが多かった。
【先行技術文献】
【特許文献】
【０００３】
【特許文献１】実用新案登録  第3175838号公報
【考案の概要】
【考案が解決しようとする課題】
【０００４】
雪・砂・砂利などの移動・遠投作業では従来形状の器具では添える腕や腰への体力的負担が大であり、長時間 の移動・遠投作業が困難であり運搬車その他の手段が必要であった。そのため雪・砂利などの移動作業時の体力負担が少なく 効率的、かつ誰でも手軽で安全に移動・遠投作業ができることを可能にする器具が必要であった 。    
【課題を解決するための手段】
【０００５】
上述した課題を解決するため、本考案は円筒棒状形プラスチック ・アルミニウム等でできたパイプに滑り止め加工を施し、その先端部を、雪や砂 利などを取り込む為の掬い取り部の先端部角度を９０度から １５０度の角度を持たせ、また掬い取り部底面を正面方向から見てV字型に加工した掬い取り部を垂直方向へ７５度から１０５度に接続した形状とした。
【考案の効果】
【０００６】
本発明の構成により雪または砂利など集積・移動作業が容易に出来、連続作業により雪や砂 利や砂の遠投作業が体力負担の少ない効率的かつ安全、手軽にできるものである。また掬い取り部先端部や底面部に角度を付けることにより左右どちらの作業時にも移動対象物をより小さな 力で綺麗に掬い取ることができる形状の器具。  
【図面の簡単な説明】
【０００７】
【図１】図１本発明に係る器具の右上方斜視図
【図２】本発明に係る器具の正面図
【図３】本発明に係る器具の上面図
【図４】本発明に係る器具の左側面図
【考案を実施するための形態】
【０００８】
本発明は移動・遠投対象物に合わせたアルミニウムまたはプラスチック等で成型された掬い取り部先端に角度９０度から１５０度を付け、底面を正面方向から見てV字型に加工したスコップ部と約１.５メートル前後の握り柄部垂直方向にピンで接続した形状の器具。
【実施例】
【０００９】
握り柄部はFRP積層加工・アルミパイプ・曲げや衝撃に強いプラスチック・木材等を棒状または筒状に加工した長さ約1.5ｍ・直径約30ミリの握り柄部を、プラスチック樹脂・アルミ・木材その他の材料で移動対象物に合わせた材質で加工した掬い取り部の接続部へ75度〜105度の範囲で垂直方向へ差し込みピンで固定した形態の器具となる。
【産業上の利用可能性】
【００１０】
本器具は手軽で安全かつ体力的負担が非常に少なく広範囲の作業に使用が考え られる 。
【符号の説明】
【００１１】
1  掬い部
2  掬い部先端
3  握り柄接続部
4  握り柄部
【図１】
0003207705.tif 000003
【図２】
0003207705.tif 000004
【図３】
0003207705.tif 000005
【図４】
0003207705.tif 000006